(57)【要約】【課題】電線の支持及び開放を簡単な操作にて作業能率良く行うことができる電線支持具を提供する。【解決手段】Ｕ字状又はＣ字状で上部又は一側部に開口３を有し、下端部に支持棒に対する取付部５を有する保持枠４と、保持枠４の開口３の一側部に一端が回動自在に支持されるとともに開口３の外方に向けて回動付勢された抜止金具１０と、抜止金具１０の他端に係合する係合位置と開口３の内側に回動して係合を解除する係合解除位置との間で回動可能な係止片１５を有して抜止金具１０が開口３を閉じた姿勢から外方へ回動するのを解除操作可能に阻止する係止手段１４とを備えている。【選択図】図１
2010088255.tif 000002
【特許請求の範囲】
【請求項１】
Ｕ字状又はＣ字状で上部又は一側部に開口を有し、下端部に支持棒に対する取付部を有する保持枠と、保持枠の開口の一側部に一端が回動自在に支持されるとともに開口の外方に向けて回動付勢された抜止金具と、抜止金具が開口部を閉じた姿勢から外方へ回動するのを阻止するように抜止金具の他端に係合する係合位置と係合解除位置との間で移動操作可能な係止手段とを備えたことを特徴とする電線支持具。
【請求項２】
係止手段は、抜止金具の他端に係合する係合位置と開口の内側に回動して係合を解除する係合解除位置との間で回動可能な係止片と、係止片を係合位置に向けて回動付勢するばねと、係止片から延出された係合解除操作部とを備えたことを特徴とする請求項１記載の電線支持具。
【請求項３】
伸縮操作可能な伸縮棒の両端部に電線把持部を備えた活線切分工具であって、伸縮棒の一端から適当間隔の位置に請求項１記載のＵ字状の保持枠を有する第１の電線支持具を取り付け、伸縮棒の他端から適当間隔の位置に請求項１記載のＣ字状の保持枠を有する第２の電線支持具を取り付けたことを特徴とする活線切分工具。
【発明の詳細な説明】
【技術分野】
【０００１】
本発明は、電柱間に架設された通電状態の高圧線等の電線（通電状態の電線を活線と称する）を切断する活線切分工法などにおいて、切断した電線の端部が不用意に動かないように支持する電線支持具及びそれを用いた活線切分工具に関するものである。
【背景技術】
【０００２】
従来、電柱と電柱の間に架設された活線を切断する活線切分工法として、切断箇所の両側に間隔をあけた位置を一対の掴線具にて掴持し、その後これらの掴線具を引張具に接続して引張具にて両掴線具を引き寄せることで活線の切断箇所を弛ませ、弛ませた状態で切断具で切断する活線切分工法が知られていた（例えば、特許文献１参照）。
【０００３】
ところが、上記従来の活線切分工法では作業の難しい工程が多くて作業効率が悪いという問題があったため、図１１に示すように、伸縮操作可能な伸縮棒４２の両端に一対の掴線器４３、４４を取付けるとともに、一端の掴線器４３は伸縮棒４２に対して回動可能に連結した活線切分工具４１を用い、一方の掴線器４３を活線Ｗの切断箇所の一側部に引っ掛けた後、伸縮棒４２を活線に沿わせて他方の掴線器４４を切断箇所の他側部に引っ掛け、次に遠隔操作棒４５にて伸縮棒４２を操作して収縮させることで、両掴線器４３、４４にて活線Ｗを強く掴持するとともに両掴線器４３、４４を互いに接近移動させてそれらの間の活線Ｗを弛ませ、この弛んだ部分を切断具４６にて切断する活線切分工法が提案されている（例えば、特許文献２参照）。
【０００４】
この特許文献２では、切断した活線Ｗの端部が不用意に移動しないように支持する電線支持具についての開示はないが、上記特許文献１において、図１２に示すように、下端部に引張具若しくは伸縮棒に対する取付部５３を有する略Ｃ字状の保持枠５２と、この保持枠５２の一側の開口５４を開閉可能に閉じる閉止片５５と、閉止片５５を遠隔操作具にて開閉操作するための係合環５６とを備えた電線支持具５１が開示されている。詳細には、開口５４の一側部に、閉止片５５をスライド自在に支持するスライド機構５７が設けられるとともに、開口５４の他側部に、閉止片５５の先端が嵌入する嵌入凹部５８と係合固定するクリック手段５９が設けられている。
【特許文献１】特開平８−３３１７２３号公報
【特許文献２】特開２０００−８３３０９号公報
【発明の開示】
【発明が解決しようとする課題】
【０００５】
ところが、上記特許文献２に記載の工法にて作業能率よく活線の切分を行うことができても、切断した電線Ｗの端部を支持するために、特許文献１に記載された図１２に示すような電線支持具５１を伸縮棒４２に設けた場合に、電線Ｗを支持するためには、係合環５６に遠隔操作具を係合させて閉止片５５を開口位置にスライドさせて保持し、その状態で電線Ｗを保持枠５２内に挿入し、その後遠隔操作具を係合環５６に係合させて移動操作し、閉止片５５の先端を嵌入凹部５８に嵌合させてクリック手段５９にて係合固定されるようにする必要があり、また電線Ｗの支持を解除する場合にも、遠隔操作具を係合環５６に係合させて移動操作し、閉止片５５を開口位置にスライドさせて保持し、その状態で電線Ｗを抜き出す必要があり、作業が面倒で、作業能率が悪いという問題がある。
【０００６】
本発明は、上記従来の問題に鑑み、電線の支持及び開放を簡単な操作にて作業能率良く行うことができる電線支持具及び活線切分工法を作業性良く実施することができる活線切分工具を提供することを目的とする。
【課題を解決するための手段】
【０００７】
本発明の電線支持具は、Ｕ字状又はＣ字状で上部又は一側部に開口を有し、下端部に支持棒に対する取付部を有する保持枠と、保持枠の開口の一側部に一端が回動自在に支持されるとともに開口の外方に向けて回動付勢された抜止金具と、抜止金具が開口部を閉じた姿勢から外方へ回動するのを阻止するように抜止金具の他端に係合する係合位置と係合解除位置との間で移動操作可能な係止手段とを備えたものである。
【０００８】
この構成によれば、抜止金具を係止手段に係合させて保持枠の開口を閉じた状態にしておくことで、単純に電線を開口の外側から抜止金具を押して保持枠内に押し込むようにすることで、抜止金具が保持枠の内側に回動して電線が保持枠内に入った後抜止金具が直ちに復帰して開口が閉じられるので電線が不用意に動かないように支持することができ、また電線の支持状態を開放する際には、係止手段を係合解除位置に移動操作することで、抜止金具が開口の外側に回動して開口が開いた状態になるため、任意に電線を抜き出すことができ、電線の支持及び開放を簡単な操作にて作業能率良く行うことができる。
【０００９】
また、係止手段を、抜止金具の他端に係合する係合位置と開口の内側に回動して係合を解除する係合解除位置との間で回動可能な係止片と、係止片を係合位置に向けて回動付勢するばねと、係止片から延出された係合解除操作部とを備えた構成とすると、係止片が常時係合位置に位置するとともに係合解除位置との間で回動可能であるため、操作性の良い回動操作によって係止片を係合解除状態にすることができ、電線の支持及び開放をより簡単な操作にて行うことができる。
【００１０】
また、本発明の活線切分工具は、伸縮操作可能な伸縮棒の両端部に電線把持部を備えた活線切分工具であって、伸縮棒の一端から適当間隔の位置に上記Ｕ字状の保持枠を有する第１の電線支持具を取り付け、伸縮棒の他端から適当間隔の位置に上記Ｃ字状の保持枠を有する第２の電線支持具を取り付けたものである。
【００１１】
この構成によれば、伸縮棒の一端部の電線把持部を切断箇所の一側部に引っ掛けた後、伸縮棒を電線（活線）に沿わせるとともに、第１の電線支持具の上方からその保持枠内に電線を挿入して支持状態とし、さらに第２の電線支持具の一側方から保持枠内に電線を挿入して支持状態とするとともに、伸縮棒の他端部の電線把持部を切断箇所の他側部に引っ掛け、その後遠隔操作棒にて伸縮棒を操作して収縮させることで、両電線把持部にて活線を強く把持するとともに両電線把持部が互いに接近移動してそれらの間の電線が弛むので、その弛んだ部分を切断具にて切断することで、電線を切断できるとともにその切断した電線の端部がそれぞれ電線支持具にて支持されて不用意に移動することがなく、作業性良く活線切分工法を実施することができる。
【発明の効果】
【００１２】
本発明の電線支持具によれば、抜止金具が係止手段に係合して保持枠の開口を閉じている状態で開口の外側から保持枠内に電線を単純に押し込むと抜止金具が保持枠の内側に回動して電線が保持枠内に入るとともに抜止金具が直ちに復帰して開口が閉じられるので電線が不用意に動かないように支持することができ、また電線の支持状態を開放する際には、係止手段を係合解除位置に移動操作すると抜止金具が開口の外側に回動して開口が開いた状態になるため、任意に電線を抜き出すことができ、電線の支持及び開放を簡単な操作にて作業能率良く行うことができる。
【発明を実施するための最良の形態】
【００１３】
以下、本発明に係る電線支持具とそれを備えた活線切分工具の一実施形態について、図１〜図１０を参照して説明する。
【００１４】
本実施形態における電線支持具は、図１に示すように、電線Ｗを挿脱する開口３が上方に配置された第１の電線支持具１と、図２に示すように、開口３が一側方に配置された第２の電線支持具２の２種類のものがある。まず、第１の電線支持具１を、図１、図３、図４を参照して説明する。第１の電線支持具１は、上部に開口３を有する略Ｕ字状の保持枠４を備えており、その保持枠４の下端部には、後述の活線切分工具３１の伸縮棒３２など、電線支持具１を取付ける支持棒に対する取付部５が設けられている。図示例の取付部５は、下端に形成された円弧凹部６に伸縮棒３２に外嵌する取付リング７の一部を嵌合させて取付ねじ８にて締結固定されている。取付リング７には、一対の固定ねじ９が放射状に貫通して螺合され、伸縮棒３２などの支持棒に締め付け固定するように構成されている。９ａは、回転操作用に固定ねじ９に設けられた係合環である。
【００１５】
保持枠４の開口３は抜止金具１０にて開放可能に閉じられる。抜止金具１０は、開口３の一側に位置する保持枠４の一端部４ａに設けられた支軸ボルト１１にてその一端が回動自在に支持され、かつねじりばね１２にて開口３の外方に向けて回動付勢されている。ねじりばね１２は、支軸ボルト１１の回りに巻回されるとともその一端が支軸ボルト１１から適当に離れた位置に配置されたばね掛けピン１３に掛けられ、他端が抜止金具１０の一端から突出されたストッパ片１０ａに掛けられている。抜止金具１０の外方への回動限はストッパ片１０ａがばね掛けピン１３に係合することで規制される。
【００１６】
開口３の他側に位置する保持枠４の他端部４ｂには、抜止金具１０が開口３を閉じた姿勢から外方へ回動するのを解除可能に阻止する係止手段１４が配設されている。本実施形態の係止手段１４は、開口３を閉じた状態の抜止金具１０の他端に係合する係合位置と開口の内側に回動して係合を解除する係合解除位置との間で回動可能に支軸ボルト１６にて支持された係止片１５にて構成され、かつ係止片１５が上記係合位置から外方に回動するのを阻止するストッパピン１７と係止片１５を係合位置に向けて回動付勢するねじりばね１８とが設けられている。ねじりばね１８は、支軸ボルト１６の回りに巻回されるとともその一端が支軸ボルト１６から適当に離れた位置に配置されたばね掛けピン１９に掛けられ、他端が係止片１５から斜め上方に延出された延長腕２０の上縁に掛けられている。延長腕２０の先端部には、係止片１５を係合解除位置に向けて回動操作する係合解除操作軸２１が固定されている。
【００１７】
以上の構成の第１の電線支持具１の使用に際しては、その取付部５を伸縮棒３２などの支持棒に取り付けるとともに、図３（ａ）に示すように、抜止金具１０が開口３の外方に回動した姿勢から、抜止金具１０を矢印の如く開口３を閉じた位置を経てさらに保持枠４内に入り込んだ位置まで押し込むことにより、抜止金具１０の先端部にて係止片１５がその係合位置から保持枠４内に入り込んだ係合解除位置まで回動され、抜止金具１０の先端が係止片１５の先端を通過すると、係止片１５が係合位置に復帰し、その後抜止金具１０の押し込みを解除することで、図３（ｂ）に示すように、抜止金具１０の先端部が係合位置の係止片１５に係合し、保持枠４の開口３が抜止金具１０にて閉じられた状態にセットされる。
【００１８】
この電線支持具１によって電線Ｗを支持する場合には、図４（ａ）に示すように、電線Ｗを開口３の上方から保持枠４内に向けて抜止金具１０を保持枠４内に回動させつつ押し入れることにより、図４（ｂ）に示すように、電線Ｗが抜止金具１０の先端を乗り越えた時点で、抜止金具１０が保持枠４の開口３を閉じた位置まで回動して係止片１５に係合し、開口３が抜止金具１０にて閉じられて電線Ｗが保持枠４内で支持された状態となる。次に、電線支持具１による電線Ｗの支持状態を解除する際には、図４（ｃ）に示すように、係合解除操作軸２０を矢印の如く回動操作して係止片１５を保持枠４の内側に向けて回動させることで、係止片１５の先端部によって抜止金具１０が保持枠４の内側に回動されるとともにその回動によって抜止金具１０の先端が係止片１５の先端を乗り越えた時点で、図４（ｄ）に示すように、抜止金具１０が保持枠４の開口３の外方に回動して開口３が開かれ、電線Ｗを自在に抜き出すことができる状態となって電線Ｗの支持が解除される。
【００１９】
次に、第２の電線支持具２について、図２、図５、図６を参照して説明する。なお、第１の電線支持具１と実質的に同一構成要素については同じ参照符号を付して説明を省略し、主として相違点について説明する。
【００２０】
第２の電線支持具２は、一側部に開口３を有する略Ｃ字状の保持枠２４を備えており、その保持枠２４の下端部に取付部５が設けられている。開口３の下側に位置する保持枠２４の一端部２４ａに配設された支軸ボルト１１にて抜止金具１０の一端が回動自在に支持されている。また、開口３の上側に位置する保持枠２４の他端部２４ｂに配設された支軸ボルト１６にて係止片２５が回動自在に支持されている。係止片２５からは上方に延長腕２６が延出され、その先端部に両側に突出する係合解除操作軸２２が固定されている。また、係止片２５を抜止金具１０に対する係合位置から開口３の外側に回動するのを阻止するため、図５に示すように、保持枠２４の他端部２４ｂにストッパ面２７が形成されている。
【００２１】
この第２の電線支持具２の使用に際しても、その取付部５を伸縮棒３２などの支持棒に取り付けるとともに、図５（ａ）に示すように、抜止金具１０が開口３の外方に回動した姿勢から、抜止金具１０を矢印の如く開口３を閉じた位置を経てさらに保持枠２４内に入り込んだ位置まで押し込むことにより、抜止金具１０の先端部にて係止片２５がその係合位置から保持枠２４内に入り込んだ係合解除位置まで回動され、抜止金具１０の先端が係止片２５の先端を通過すると、係止片２５が係合位置に復帰し、その後抜止金具１０の押し込みを解除することで、図５（ｂ）に示すように、抜止金具１０の先端部が係合位置の係止片２５に係合し、保持枠２４の開口３が抜止金具１０にて閉じられた状態にセットされる。
【００２２】
この電線支持具２によって電線Ｗを支持する場合には、図６（ａ）に示すように、電線Ｗを開口３の外側から保持枠２４内に向けて押し入れると、抜止金具１０が保持枠２４内に回動して電線Ｗが保持枠２４内に入るので、電線Ｗをそのまま保持枠２４内の上部に位置させると、図６（ｂ）に示すように、電線Ｗが抜止金具１０の先端を乗り越えた時点で、抜止金具１０が保持枠２４の開口３を閉じた位置まで回動して係止片２５に係合し、開口３が抜止金具１０にて閉じられて電線Ｗが保持枠２４内で支持された状態となる。また、電線支持具２による電線Ｗの支持状態を解除する際には、図６（ｃ）に示すように、係合解除操作軸２２を矢印の如く回動操作して係止片２５を保持枠２４の内側に向けて回動させることで、係止片２５の先端部によって抜止金具１０が保持枠２４の内側に回動されるとともにその回動によって抜止金具１０の先端が係止片２５の先端を乗り越えた時点で、図６（ｄ）に示すように、抜止金具１０が保持枠２４の開口３の外方に回動して開口３が開かれ、電線Ｗを自在に抜き出すことができる状態となって電線Ｗの支持が解除される。
【００２３】
次に、以上の第１の電線支持具１と第２の電線支持具２を設けた活線切分工具３１について、図７〜図１０を参照して説明する。
【００２４】
本実施形態の活線切分工具３１は、伸縮操作可能な伸縮棒３２の一端に第１の電線把持部３３が、伸縮棒３２の他端に第２の電線把持部３４が装着され、かつ伸縮棒３２の一端から適当間隔の位置に第１の電線支持具１が、伸縮棒３２の他端から適当間隔の位置に第２の電線支持具２が取り付けられている。第１の電線把持部３３は伸縮棒３２の軸心方向に伸びた姿勢と９０°屈曲した姿勢との間で首振り可能に装着され、第２の電線把持部３４は伸縮棒３２の軸心方向に伸びた姿勢で装着されている。伸縮棒３２は、その他端側の本体部３５と本体部３５に対して一端側に出退可能に装着された伸縮部３６とを備え、本体部３５の他端部に配設された回転操作部３７に遠隔操作棒３８の先端を係合させて回転操作することで、本体部３５に内蔵された送りねじ機構（図示せず）にて伸縮部３６が出退するように構成されている。
【００２５】
次に、この活線切分工具３１を用いて活線切分工法を実施する工程を説明する。まず、図７に示すように、伸縮棒３２の一端の第１の電線把持部３３が伸縮棒３２に対して略直角に屈曲した状態で、伸縮棒３２の他端側を支持して伸縮棒３２の一端の第１の電線把持部３３を電線Ｗに近寄せ、第１の電線把持部３３を電線Ｗに引っ掛けて装着する。次に、図８に示すように、伸縮棒３２の他端の回転操作部３７に遠隔操作棒３８の先端を係合させて、伸縮棒３２を電線Ｗに沿わせるように伸縮棒３２の他端側を持ち上げるとともに、その過程で第１の電線支持具１の上部の開口３から保持枠４内に電線Ｗを押し込んで第１の電線支持具１にて電線Ｗが支持される状態にする。次に、図９に示すように、電線Ｗが第２の電線支持具２の一側の開口３に対向するように伸縮棒３２を位置させた後伸縮棒３２を横移動させて一側の開口３から保持枠４内に電線Ｗを押し込んで第２の電線支持具２にて電線Ｗが支持される状態にする。次に、図１０に示すように、第２の電線把持部３４を電線Ｗに引っ掛けて装着する。その後、遠隔操作棒３８にて回転操作部３７を回転操作して伸縮棒３２を収縮させることで、第１及び第２の電線把持部３３、３４にてそれぞれ電線Ｗが強固に把持された後、両電線把持部３３、３４が互いに引き寄せられることで、それらの間の電線Ｗが弛ませられるので、その弛んだ部分で電線Ｗを遠隔切断具にて切断することで、電線Ｗが切分けられる。また、その切断端部はそれぞれ第１と第２の電線支持具１、２にて支持されて不用意に移動することがないので、作業性良く活線切分工法を実施することができる。
【００２６】
以上のように、本実施形態の電線支持具１、２によれば、抜止金具１０を係止手段１４に係合させて保持枠４の開口３を閉じた状態にしておくことで、単純に電線Ｗを開口３の外側から抜止金具１０を押して保持枠４内に押し込むようにすることで、抜止金具１０が保持枠４の内側に回動して電線Ｗが保持枠４内に入った後抜止金具１０が直ちに復帰して開口３が閉じられるので、単純な作業によって電線Ｗが不用意に動かないように支持することができる。また、その後電線Ｗての支持状態を開放する際には、係止手段１４を係合解除位置に移動操作することで、抜止金具１０が開口３の外側に回動して開口３が開いた状態になるため、任意に電線Ｗを抜き出すことができ、電線Ｗの支持及び開放を簡単な操作にて作業能率良く行うことができる。
【００２７】
また、本実施形態の係止手段１４は、抜止金具１０の他端に係合する係合位置と開口３の内側に回動して係合を解除する係合解除位置との間で回動可能な係止片１５と、係止片１５を係合位置に向けて回動付勢するねじりばね１８と、係止片１５から延出された延長腕２０先端に設けた係合解除操作軸２１とからなる係合解除操作部とを備えた構成としているので、係止片１５が常時係合位置に位置するとともに係合解除位置との間で回動可能であるため、操作性の良い回動操作によって係止片１５を係合解除状態にすることができ、電線Ｗの支持及び開放をより簡単な操作にて行うことができる。
【００２８】
また、これら電線支持具１、２を設けた活線切分工具３１によれば、上述のように伸縮棒３２の一端部の第１の電線把持部３３を切断箇所の一側部に引っ掛けた後、伸縮棒３２を電線Ｗに沿わせるとともに、第１の電線支持具１の保持枠４内に電線Ｗを挿入して支持状態とし、さらに第２の電線支持具２の一側方から保持枠４内に電線Ｗを挿入して支持状態とするとともに、伸縮棒３２の他端部の第２の電線把持部３４を切断箇所の他側部に引っ掛け、その後遠隔操作棒３８にて伸縮棒３２を操作して収縮させることで、両電線把持部３３、３４にて電線Ｗが強く把持されるとともに両電線把持部３３、３４が互いに接近移動してそれらの間の電線Ｗが弛むので、その弛んだ部分を切断具にて切断することで、電線Ｗを切断できるとともにその切断した電線Ｗの端部がそれぞれ電線支持具１、２にて支持されて不用意に移動することがないので、作業性良く活線切分工法を実施することができる。
【００２９】
なお、上記実施形態においては、係止手段１４を回動可能な係止片１５にて構成した例を示したが、係止手段１４を、係合位置と係合解除位置との間で出退移動自在な係止片と、この係止片を係合位置に向けて移動付勢する圧縮ばねと、係止片を係合解除位置に移動操作するための係合環を設けた構成としても良い。さらに、その場合に係止片の係合部位の外側に抜止金具１０の他端が係合する傾斜カム面を設けると、抜止金具１０を単純に保持枠４の開口３の内側に向けて押し込むことで係止片が傾斜カム面にて一旦係合解除位置に移動した後係合位置に復帰することで開口３を閉じた状態にすることができる。
【産業上の利用可能性】
【００３０】
本発明の電線支持具は、抜止金具が係止手段に係合して保持枠の開口を閉じている状態で開口の外側から保持枠内に電線を単純に押し込むと抜止金具が保持枠の内側に回動して電線が保持枠内に入るとともに抜止金具が直ちに復帰して開口が閉じられるので電線が不用意に動かないように支持することができ、また電線の支持状態を開放する際には、係止手段を係合解除位置に移動操作すると抜止金具が開口の外側に回動して開口が開いた状態になるため、任意に電線を抜き出すことができ、電線の支持及び開放を簡単な操作にて作業能率良く行うことができるので、活線切分工法での切断した電線端部の支持やその他工法での電線に支持に好適に適用することができる。
【図面の簡単な説明】
【００３１】
【図１】本発明の一実施形態における第１の電線支持具を示し、（ａ）は平面図、（ｂ）は正面図、（ｃ）は右側面図。
【図２】同実施形態における第２の電線支持具を示し、（ａ）は平面図、（ｂ）は正面図、（ｃ）は左側面図。
【図３】（ａ）、（ｂ）は第１の電線支持具を初期セットする工程を示す正面図。
【図４】（ａ）〜（ｄ）は第１の電線支持具による電線の支持及び支持解除を行う工程を示す正面図。
【図５】（ａ）、（ｂ）は第２の電線支持具を初期セットする工程を示す正面図。
【図６】（ａ）〜（ｄ）は第２の電線支持具による電線の支持及び支持解除を行う工程を示す正面図。
【図７】本発明の一実施形態における活線切分工具の第１の電線把持部を電線に取り付ける工程を示す正面図。
【図８】同活線切分工具の第１の電線支持具に電線を挿入する工程を示す正面図。
【図９】同活線切分工具の第２の電線支持具に電線を挿入する工程を示す正面図。
【図１０】同活線切分工具の第２の電線把持部を電線に取り付ける工程を示す正面図。
【図１１】従来例の活線切分工具による活線切分工程を示す正面図。
【図１２】従来例の電線支持具の構成を示す正面図。
【符号の説明】
【００３２】
１  第１の電線支持具
２  第２の電線支持具
３  開口
４、２４  保持枠
５  取付部
１０  抜止金具
１１  支軸ボルト
１２  ねじりばね
１４  係止手段
１５、２５  係止片
１６  支軸ボルト
１７  ストッパピン
１８  ねじりばね
２１、２２  係合解除操作軸
２７  ストッパ面
３１  活線切分工具
３２  伸縮棒
３３、３４  電線把持部
【図１】
2010088255.tif 000003
【図２】
2010088255.tif 000004
【図３】
2010088255.tif 000005
【図４】
2010088255.tif 000006
【図５】
2010088255.tif 000007
【図６】
2010088255.tif 000008
【図７】
2010088255.tif 000009
【図８】
2010088255.tif 000010
【図９】
2010088255.tif 000011
【図１０】
2010088255.tif 000012
【図１１】
2010088255.tif 000013
【図１２】
2010088255.tif 000014